(57)【特許請求の範囲】
【請求項１】
相対向する表裏一体の壁面を有しており、多数の孔が表壁部に形成されている中空のケーシングと、このケーシングの内部に収納されたインナープレートと、前記各孔から外部に突出するように当該インナープレートの表面に立設された多数のブラシピンとを有する可動ブラシ体と、前記可動ブラシ体を前記ケーシング内で表裏方向に移動させて前記各ブラシピンを前記表壁部の各孔から突出・収納させる操作部材とを備えたブラシにおいて、
前記ケーシングは、相対向する内面側が幅方向中央部で凹んだ状態に湾曲した表裏一体の壁面を有しており、かつ、前記表壁部の孔が幅方向に長い長孔とされており、
前記インナープレートは、湾曲自在な弾性素材で構成されており、その幅方向両側部を前記ケーシング内に取り付けられていると共に、その幅長さがケーシングの取り付け部の幅長さよりも長くされており、前記操作部材の操作によって、前記各ブラシピンを前記表壁部の長孔から収納させて各ブラシピンの先端部同士が互いに集まるように前記インナープレートを前記裏壁部の内面に沿わせる収縮状態と、前記各ブラシピンを前記表壁部の長孔から突出させて各ブラシピンの先端部同士が互いに離れるように前記インナープレートを前記表壁部の内面に沿わせる離散状態とのいずれかに湾曲変形可能に構成されており、
前記操作部材は、一端が前記インナープレートに取り付けられていることを特徴とするブラシ。
【請求項２】
前記操作部材は、前記ケーシングの裏壁部を貫通するように前記インナープレートの裏面に立設された棒状体により構成されている請求項１に記載のブラシ。
【請求項３】
前記操作部材を構成する棒状体は、前記可動ブラシ体を収縮状態にしたときに当該操作部材の突出部分を裏壁部の外面に沿って転倒させる第一屈曲部と、前記可動ブラシ体を離散状態にしたときに当該操作部材の突出を前記裏壁部の外面に沿うように転倒させる第二屈曲部とを備えている請求項２に記載のブラシ。
【発明の詳細な説明】
【０００１】
【発明の属する技術分野】
本発明は、ブラシ台座部に対して出退自在であるブラシピンを有するペットあるいは人用のクリーナー付きブラシに関するものである。
【０００２】
【従来の技術】
ペット用などのブラシを使用した場合、毛を整えるうちに抜け毛がブラシのブラシピンに絡まってしまい、その都度手で抜け毛をブラシピンやブラシ台座部から除去する作業が必要であるため、特開平１１−１９２１２５公報には、髪の毛を梳いた後に、櫛の間に残った抜け毛を容易に取り除く事ができるヘヤーブラシに関する提案がされている。このヘヤーブラシはブラシピンの植毛面側に、櫛に残った髪の毛を持ち上げるスライド板とこのスライド板が抜けないようにストッパーとを備えたものであり、かかるスライド板を持ち上げることにより、抜け毛を容易に取り除くことができるとされている。また、特開２０００−１７５７４０公報には、上記と同様に抜け毛を簡単に取り除くヘヤーブラシに関する提案がされており、ブラシピンのブラシ台座部を列状に分割して、分割した各々が別々に可動することができるようにすることにより、抜け毛を容易に取り除くことができるとされている。
【０００３】
さらに、ブラシ台座部にはブラシピンが直立しており、携帯にはブラシ用の大きなスペースが必要であるため、昭５７−１７２５３４公開実用新案公報には、ブラシ体が収縮できるようなヘヤーブラシに関する提案がされている。このヘヤーブラシは湾曲可能なブラシ基板にブラシピンを植毛して、かかるブラシ基板を湾曲することによりブラシ全体を収縮できるとされているものである。
【０００４】
【発明が解決しようとする課題】
このように、ブラシピンやブラシ台座部に絡まった毛を取り除いたり、ブラシを携帯し易くするため、上記のような提案がされている。しかし、特開平１１−１９２１２５公報に記載のヘヤーブラシでは、可動板を上に持ち上げることで抜け毛を取り除き易くしているが、ブラシ台座部から離れるだけで抜け毛の束がそのままの状態で残るため抜け毛は絡まったままであるし、手の指を多数のブラシピンの中へ入れる作業を要する。また、特開２０００−１７５７４０公報に記載のヘヤーブラシは、ブラシ台座部を分割し、その一部を離して抜け毛を取り除きやすくしているが、分割された個々のブラシ台座部のみで絡まった抜け毛を取り除くことは困難である。したがって、これらのヘヤーブラシでは抜け毛を取り除くのは十分とはいえない。一方、これらのブラシピンは直立したままであるので、嵩張るため携帯性が低い。
【０００５】
また、昭５７−１７２５３４公開実用新案公報に記載のヘヤーブラシでは、ブラシ体自体は収縮するためコンパクトになり携帯性に優れているが、抜け毛を取り除くという点についてはなんら考慮されたものではない。
このように、これらのヘヤーブラシは抜け毛を取り除きにくいという問題と、携帯性が低いという問題を同時に解決するものではなかった。
本発明は、このような事情に鑑みてなされたものであり、ブラシピンに絡んだ抜け毛を手で除去する作業を行ったり、補助具などを使用しなくても、単一の操作でほとんどの抜け毛を除去することができ、かつブラシピンをブラシ台座部内に縮小して収納することができるようにして、ブラシピンに絡んだ抜け毛をとるのに手間がかからず、携帯に便利となるブラシを得ることを目的とする。
【０００６】
【課題を解決するための手段】
本発明は上記目的を達成するため、次の技術的手段を講じている。
すなわち本発明は、相対向する表裏一体の壁面を有しており、多数の孔が表壁部に形成されている中空のケーシングと、このケーシングの内部に収納されたインナープレートと、前記各孔から外部に突出するように当該インナープレートの表面に立設された多数のブラシピンとを有する可動ブラシ体と、前記可動ブラシ体を前記ケーシング内で表裏方向に移動させて前記各ブラシピンを前記表壁部の各孔から突出・収納させる操作部材とを備えたブラシにおいて、
前記ケーシングは、相対向する内面側が幅方向中央部で凹んだ状態に湾曲した表裏一体の壁面を有しており、かつ、前記表壁部の孔が幅方向に長い長孔とされており、
前記インナープレートは、湾曲自在な弾性素材で構成されており、その幅方向両側部を前記ケーシング内に取り付けられていると共に、その幅長さがケーシングの取り付け部の幅長さよりも長くされており、前記操作部材の操作によって、前記各ブラシピンを前記表壁部の長孔から収納させて各ブラシピンの先端部同士が互いに集まるように前記インナープレートを前記裏壁部の内面に沿わせる収縮状態と、前記各ブラシピンを前記表壁部の長孔から突出させて各ブラシピンの先端部同士が互いに離れるように前記インナープレートを前記表壁部の内面に沿わせる離散状態とのいずれかに湾曲変形可能に構成されており、
前記操作部材は、一端が前記インナープレートに取り付けられていることを特徴とするものである。
【０００７】
上記の本発明によれば、ケーシングの多数の長孔から外部に挿通され、かつケーシング内に設けられた湾曲自在なインナープレートに立設された多数のブラシピンを、かかるインナープレートを湾曲させる。そして、可動ブラシ体を収縮状態あるいは離散状態として、ブラシピンを収納状態及び使用状態とするものであり、さらに前記インナープレートを湾曲させるための操作部材が備えるようにしたので、ブラシピンに絡んだ抜け毛を手で除去する作業を行ったり、補助具などを使用しなくても、単一の操作でほとんどの抜け毛を除去することができ、かつ多数のブラシピンをブラシ台座部内に縮小して収納することができる。
【０００８】
また、本発明にかかるブラシは、前記操作部材は、前記ケーシングの裏壁部を貫通するように前記インナープレートの裏面に立設された棒状体により構成されているので、可動ブラシ体を容易に離散状態や収縮状態とすることができる。
さらに、本発明にかかるブラシは、前記操作部材を構成する棒状体は、前記可動ブラシ体を収縮状態にしたときに当該操作部材の突出部分を裏壁部の外面に沿って転倒させる第一屈曲部と、前記可動ブラシ体を離散状態にしたときに当該操作部材の突出部分を前記裏壁部の外面に沿うように転倒させる第二屈曲部とを備えていることを特徴とするものである。
【０００９】
可動ブラシ体の収縮時及び離散時のいずれにおいても、前記操作部材のケーシング裏壁部からの突出部を転倒させることができるので、操作部材が邪魔にならず、コンパクトになる。
【００１０】
【発明の実施の形態】
以下、図面に基づいて本発明の実施の形態について説明する。
図１から図８は本発明にかかるブラシの一実施形態を示している。
図１から図３に示すように、本発明にかかるブラシは、ブラシ本体１と長尺状のグリップ２とを一体に備えている。このブラシ本体１は、図４に示すようにケーシング２５と可動ブラシ体１２及び操作部材６から構成されており、前記ケーシング２５は、ブラシ枠４とブラシ台座部５とから構成されている。また、可動ブラシ体１２は、インナープレート１０とかかるインナープレート１０に立設されたブラシピン３から構成され、操作部材６はリング部７とロッド部８とフック部９から構成されている。したがって、ブラシ枠４とブラシ台座部５から構成される前記ケーシングは、相対向する内面側が凹んだ状態に湾曲した表裏一対の壁部から形成される。
【００１１】
図４及び図７に示すように、ブラシ台座部５は平面視長円形状の凹状に形成されている。このブラシ台座部５の一側部にグリップ２が一体成形によって取り付けられている。なお、このグリップ２は、その他種々の取り付け方法によってブラシ台座部５に取り付けることができる。このブラシ台座部５の周縁部の内側の四カ所には台座突起部１５が形成され、中央部にはＨ形状の操作孔部４０が形成されている。
図４に示すように、ブラシ枠４は平面視長円形状の凹状に形成されている。図１に示すように、このブラシ枠４には、多数の長孔３０が形成されネット状となっている。長手方向中央部の多数の各長孔３０は長円形状とされ、それ以外の多数の各長孔３０は両側の円形の大きさが異なる長円形状とされている。また、ブラシ枠４の裏側の四カ所にはインナープレート取り付け部１４及び、ブラシ台座部５の台座突起部１５に対応させたブラシ枠突起部１６が形成されている。また、多数の長孔３０が形成されている周辺部には段差が設けられており、意匠性に優れたものにしている。
【００１２】
図７に示すように、インナープレート１０はブラシ台座部５と同様に、平面視長円形状の適当な厚みを持った板状に形成され、側辺部の二カ所には取り付け用のピン１３を枢支するため、内部が貫通した取り付け部１１が形成されている。このインナープレート１０の表側に、多数のブラシピン３が取り付けられ、可動ブラシ体１２を構成している。ここで、可動ブラシ体１２を変形させると同時に、ブラシピン３にクッション性をもたせるため、インナープレート１０には弾性素材が使用される。本実施形態では各種のゴム素材が使用されるが、それ以外の弾性力のある各種の素材を使用してもよい。インナープレート１０へのブラシピン３の取り付けは、前もってインナープレート１０に狭小の穴を形成しておき、ブラシピン３をこの穴に嵌合させて、その後接着剤や加熱などにより行うことができる。なお、これ以外の種々の取り付け方法で取り付けることができる。
【００１３】
ブラシピン３は適当な長さをもった、細長い円柱状の形状に形成されており、その先端は表皮を傷つけたり、使いごこちを良好にするために球状とされている。本実施形態では、このブラシピン３に金属素材が使用されているが、その他の各種の樹脂素材も使用することができる。
図３及び図５に示すように、可動ブラシ体１２の取り付け部１１をブラシ枠４のインナープレート取り付け部１４に合わせ、これらの貫通部にピン１３を枢支して可動ブラシ体１２がブラシ枠４に取り付けられ、さらにブラシ台座部５を取り付けられる。
【００１４】
このさい、インナープレート１０の幅長さが、インナープレート取り付け部１４の幅長さよりも長くなるように構成される。ここで、インナープレート１０が、かかる取り付け部１４の上下で大きく湾曲することができるようにインナープレート取り付け部１４の幅長さが決められる。したがって、インナープレート１０が、前記上下のいずれかで大きく湾曲した形状をとり、可動ブラシ体１２を離散状態あるいは収縮状態とする。
図４及び図８に示すように、前記のとおりリング部７とロッド部８及びフック部９を一体とした操作部材２は、ブラシ台座部５の操作孔部４０に挿通されている。ここで、リング部９は図２に示すように長片円形状の略板状に形成されており、その円形部は手の指などで引っ掛けやすいようにリング状とされている。ロッド部８は断面視矩形状の略直方形状に形成されており、リング部７およびフック部９に回転自在に係止できるようにされている。フック部９の断面はコの字状に形成されており、ロッド部８の一端部を係止できるように、その一端部には挿通孔が形成されている。なお、この挿通孔はＴ字状にあけられており、ロッド部８の可動範囲を広げている。
【００１５】
これらリング部７とロッド部８及びフック部９がそれぞれ回転可能に係止され、これらを一体とした操作部材６の一端、すなわちフック部９の一端がインナープレート１０に取り付けられている。そして、インナープレート１０に取り付けられているブラシピン３をブラシ枠４に形成されている長孔３０に挿通しつつ、インナープレート１０を挟んでブラシ台座部５にブラシ枠４が取り付けられている。
したがって、図５に示すように操作部材６をブラシ本体１の前面へ押し込んだ場合は、インナープレート１０がケーシング２５表壁部の内面へ沿うように湾曲し、可動ブラシ体１２を離散状態とし、それに伴ってブラシ枠４の長孔３０からブラシピン３がブラシ本体１から扇状に突出される。
【００１６】
また、図６に示すように操作部材６をブラシ本体１の背面へ引き戻した場合は、インナープレート１０がケーシング２５裏壁部の内面へ沿うように湾曲し、可動ブラシ体１２が収縮状態とし、それに伴ってブラシ枠４の長孔３０にブラシピン３がブラシ本体１内へ収納される。このときブラシピン３は、内側へ倒れ込むようにして収納される。
このさい、図５および図８に示すように、可動ブラシ体６を収縮状態とした場合には、操作部材６が第一屈曲部で屈曲され、かかる操作部材６の突出部であるリング部７とロッド部８が、ケーシング２５の裏壁部の外面に沿うように転倒される。また、可動ブラシ体６を離散状態とした場合には操作部材６が、第二屈曲部で屈曲され、かかる操作部材６の突出部分であるリング部７のみが、ケーシング２５の裏壁部の外面へ沿うように転倒される。
【００１７】
ブラシ台座部５と一体に備えられているグリップ２は、側方に湾曲した長尺状に形成され、その一部にはグリップカバー２０が取り付けられている。このグリップ２の先端には、ブラシを設置するための孔２１があけられている。なお、このグリップカバー２０は二分割したものを、グリップ２にはめ込んで取り付けられるが、その他の種々の取り付け方法で取り付けることができる。
本実施形態ではブラシ枠４およびブラシ台座部５およびグリップ２にはＡＢＳ樹脂が、グリップカバー２０には各種のエラストマーが、操作部材６にはポリアセタールが使用される。なお、その他の各種の樹脂や金属素材を使用することもできる。
【００１８】
本実施形態は以上のとおりであり、操作部材６をブラシ本体１の背面へ引くことによって、可動ブラシ体１２が収縮状態となり、ブラシピン３が長孔３０からケーシング２５内へ収納される。それと同時に、ブラシピン３に絡まっている抜け毛などが、ケーシング２５の前面上へ残る。したがって、単一の操作でほとんどの抜け毛を除去することができようにしているので手間がかからない。このように、不使用時においては、ブラシピン３はその内側へ倒れ込むようにして、ケーシング２５内へ収納される。したがって、未使用時はブラシをコンパクトに携帯できる。また、ブラシ面が、長孔３０とその内側のクッション性を有するインナープレート１０の二重構造で構成されているため、使用時においてクッション性を失わない。
【００１９】
さらに、前記操作部材６に第一屈曲部と第二屈曲部を設け二段折れ構造としたので、かかる操作部材６のケーシング２５裏壁部からの突出を最小限にして、コンパクトにしている。
具体的には、図８に示すように、使用後はブラシ本体１背面のリング部７を起こして引く。このリング部７を引くことによって、可動ブラシ体１２が収縮状態となって、ブラシピン３がケーシング２５内へ収納される。次に、リング部７及びロッド部８をグリップ２側へ倒しコンパクトにする。そして、使用時にはこの逆の操作をすることによって、可動ブラシ体１２を離散状態として、ブラシピン３がケーシング２５から突出され使用状態に戻る。
【００２０】
このさいケーシング２５を、脱着自在なブラシ枠４とブラシ台座部５で構成するようにしているので掃除に利便性を有し、常に衛生的な状態を保つことができる。また、破損時などは部品の取り替えを容易にしている。
犬や猫などのペット用に使用する場合は、毛梳き作業をした場合に毛が抜けることが多く、それらの抜け毛がブラシピン３などブラシ面に絡まるため、その都度掃除を行う必要がある。本発明のブラシを使用することで、ほとんどの抜け毛を簡単に単一の操作で除去することができる。特に、ペットを扱う専門業者では短時間で、犬などの毛を整える必要があるので、本発明のブラシを使用することで、作業が容易になり手間がかからない。未使用時には、可動ブラシ体１２を収縮状態として収納できるので携帯に便利置き場所を小さくできる。
【００２１】
グリップ２は側方に湾曲した形状を形成しているため、持ちやすく長時間持っていても、手が疲れることがない。グリップ２の先端に設けられた孔部２１をフックなどに架けることで、使用しないときは所定の場所へ設置することができ、便利である。ケーシング２５は角を丸めて、全体に丸みを帯びた形状としているので、手に持ったときの感覚を良好にして、犬や猫などのペットの外表を傷付けることがない。また、各部材の色彩を変更することによって、意匠性に優れたものにすることができる。
【００２２】
上記の実施形態では、多数の各ブラシピンと単一の操作部材がインナープレートに取り付けられており、ブラシピンの間隔や本数は決まったものであるため、ブラシピンの荒さを変更することはできない。ここで、ケーシング内のインナープレートを二個あるいは三個など複数設けるとともに、第一の実施形態と同様に、このインナープレートにそれぞれブラシピン及び操作部材を取り付ける。そして、各操作部材により各インナープレートを独立して湾曲させることによって、このインナープレートに取り付けられている各々のブラシピンがブラシ面で独立して作動させるような実施形態とすることもできる。
【００２３】
このような実施形態にした場合、引く操作部材によってブラシピンの荒さを変更することができるため、複数のブラシを用意しなくてもブラシピンの間隔を調節できるので、さらに毛梳き作業が容易なブラシを得ることができる。
また、本発明にかかるブラシは、ペット用に限らず人用に使用してもよい。
本発明の実施形態は以上のとおりであるが、その他種々の実施形態に応じて設計変更は可能である。
【００２４】
【発明の効果】
本発明によれば、ブラシピンに絡んだ抜け毛を手で除去する作業を行ったり、補助具などを使用しなくても、単一の操作でほとんどの抜け毛を除去することができ、かつブラシピンをブラシ台座部内に縮小して収納することができるので、ブラシピンに絡んだ抜け毛をとるのに手間がかからず、携帯に便利なブラシを得ることができる。
【図面の簡単な説明】
【図１】本発明の一実施形態を示すブラシの平面図である。
【図２】同ブラシの背面図である。
【図３】同ブラシの側面図である。
【図４】可動ブラシを収縮状態としたときの、図１におけるＡ−Ａ線断面図である。
【図５】可動ブラシを離散状態としたときの、図１におけるＢ−Ｂ線断面図である。
【図６】可動ブラシを収縮状態にしたときの、図１におけるＢ−Ｂ線断面図である。
【図７】ブラシ枠を取り外した状態と、インナープレートの平面図である。
【図８】使用状態と収納状態をあらわした斜視図である。
【符号の説明】
１    ブラシ本体
４    ブラシ枠
６    操作部材
７    リング部
８    ロッド部
９    フック部
１０  インナープレート
１２  可動ブラシ体
２５  ケーシング
３０  長孔
【図１】
0003639255.tif 000002
【図２】
0003639255.tif 000003
【図３】
0003639255.tif 000004
【図４】
0003639255.tif 000005
【図５】
0003639255.tif 000006
【図６】
0003639255.tif 000007
【図７】
0003639255.tif 000008
【図８】
0003639255.tif 000009